(57)【要約】【課題】床との間の空間を利用して通気性を向上させることが可能なシステムキッチンおよび建物を提供することを目的とする。【解決手段】床１２に設置されるとともに、地窓１３ａが設けられた壁１３に固定されるシステムキッチン１が、コンロ２ａやシンク２ｂ等の設備が設けられた本体部２と、本体部２の少なくとも両端部に設けられて当該本体部２を床１２から所定の高さに支持する複数の脚部３と、を備える。そして、本体部２の下方は、正面側から背面側にかけて開放された開放空間４とされ、当該開放空間４の正面側および背面側における開口範囲内に地窓１３ａが位置する。また、このようなシステムキッチン１が、建物１０の部屋１１に設置される。【選択図】図１
2015188600.tif 000002
【特許請求の範囲】
【請求項１】
床に設置されるとともに、地窓が設けられた壁に固定されるシステムキッチンであって、
コンロやシンク等の設備が設けられた本体部と、
前記本体部の少なくとも両端部に設けられて当該本体部を前記床から所定の高さに支持する複数の脚部と、を備え、
前記本体部の下方は、正面側から背面側にかけて開放された開放空間とされ、当該開放空間の正面側および背面側における開口範囲内に前記地窓が位置することを特徴とするシステムキッチン。
【請求項２】
請求項１に記載のシステムキッチンにおいて、
前記複数の脚部は、前記本体部の両側面に設けられるとともに、下部が前記本体部の下面よりも下方に突出する板状体であることを特徴とするシステムキッチン。
【請求項３】
請求項１または２に記載のシステムキッチンが設置された部屋を有する建物であって、
前記部屋は、前記床と、当該床に立設される一方および他方の壁と、を備えており、
前記一方の壁には前記地窓が設けられ、前記他方の壁には、前記地窓よりも上方に位置する窓が設けられており、
前記システムキッチンは、前記一方の壁に対して、前記開放空間の正面側および背面側における開口範囲内に前記地窓が位置するようにして固定されていることを特徴とする建物。
【請求項４】
請求項３に記載の建物において、
前記一方の壁は北側に配置される外壁であり、前記他方の壁は南側に配置される外壁であることを特徴とする建物。
【請求項５】
請求項３または４に記載の建物において、
前記床には床暖房設備が設けられており、
前記システムキッチンの前記複数の脚部は、その下部における正面側が、背面側から正面側にかけての寸法が上方に向かって徐々に長くなるように傾斜して形成され、
当該複数の脚部の底面における背面側から正面側にかけての寸法が、前記床の端部から、当該床の端部近傍に位置する前記床暖房設備の端部までの間隔に対応していることを特徴とする建物。
【請求項６】
請求項３〜５のいずれか一項に記載の建物において、
前記地窓は、前記一方の壁に対して複数並んで設けられており、
前記システムキッチンは、前記複数の地窓の間に配置され、かつ前記開放空間を左右に仕切る仕切り部を備えており、
前記仕切り部は上下方向に開口するようにして中空筒状に形成され、当該仕切り部の中空部内に、前記本体部に設けられた設備の各種管部材が配置されていることを特徴とする建物。
【請求項７】
請求項３〜６のいずれか一項に記載の建物において、
前記システムキッチンの上方には換気扇が設けられていることを特徴とする建物。
【請求項８】
請求項３〜７のいずれか一項に記載の建物において、
前記部屋内または前記部屋に隣接する領域に吹抜空間が設けられ、当該吹抜空間には排気手段が設けられていることを特徴とする建物。
【発明の詳細な説明】
【技術分野】
【０００１】
本発明は、システムキッチンと、このシステムキッチンが設置された部屋を有する建物に関する。
【背景技術】
【０００２】
従来、複数の箱状のパーツ家具が連結されて組み合わされ、ワークトップにコンロやシンク等が配置されたシステムキッチンが知られている。また、システムキッチンは、枠状の台座を床に設置し、その上に複数の箱状のパーツ家具が載置固定される。しかしながら、このようなシステムキッチンでは、その底面と床との間の空間が枠状の台座によって閉塞されて通気性が悪くなってしまい、例えばカビ等の発生等、衛生上の問題があった。
そのため、複数の脚を備え、当該複数の脚によって支持されることで床との間における通気性を確保したシステムキッチンが開発されている（特許文献１参照）。
【先行技術文献】
【特許文献】
【０００３】
【特許文献１】特開２００９−２３２８８５号公報
【発明の概要】
【発明が解決しようとする課題】
【０００４】
ところが、特許文献１に記載のシステムキッチンは、単に、その底面と床との間の空間を複数の脚によって開放させただけであり、十分な通気性を確保することは困難であった。そこで、より通気性を向上させることが可能な技術の開発が望まれていた。
【０００５】
本発明の課題は、床との間の空間を利用して通気性を向上させることが可能なシステムキッチンおよび建物を提供することを目的とする。
【課題を解決するための手段】
【０００６】
請求項１に記載の発明は、例えば図１〜図４に示すように、床１２に設置されるとともに、地窓１３ａが設けられた壁１３に固定されるシステムキッチン１であって、
コンロ２ａやシンク２ｂ等の設備が設けられた本体部２と、
前記本体部２の少なくとも両端部に設けられて当該本体部２を前記床１２から所定の高さに支持する複数の脚部３と、を備え、
前記本体部２の下方は、正面側から背面側にかけて開放された開放空間４とされ、当該開放空間４の正面側および背面側における開口範囲内に前記地窓１３ａが位置することを特徴とする。
【０００７】
請求項１に記載の発明によれば、複数の脚部３によって床１２から所定の高さに支持される本体部２の下方は、正面側から背面側にかけて開放された開放空間４とされ、当該開放空間４の正面側および背面側における開口範囲内に地窓１３ａが位置するので、地窓１３ａを、開放空間４の開口範囲内で確実に開閉することができるとともに、通気の必要な時には最大限開放させて外気を取り込むことができる。これによって、本体部２と床１２との間の開放空間４を利用して、従来に比して格段に通気性を向上させることができる。
【０００８】
請求項２に記載の発明は、例えば図１，図２に示すように、請求項１に記載のシステムキッチン１において、
前記複数の脚部３は、前記本体部２の両側面に設けられるとともに、下部が前記本体部２の下面よりも下方に突出する板状体であることを特徴とする。
【０００９】
請求項２に記載の発明によれば、複数の脚部３は、本体部２の両側面に設けられるとともに、下部が本体部２の下面よりも下方に突出する板状体であるため、当該複数の脚部３によって本体部２の両側面を化粧しつつ、本体部２を確実に支持することができる。
【００１０】
請求項３に記載の発明は、例えば図１〜図４に示すように、請求項１または２に記載のシステムキッチン１が設置された部屋１１を有する建物１０であって、
前記部屋１１は、前記床１２と、当該床１２に立設される一方および他方の壁１３，１４と、を備えており、
前記一方の壁１３には前記地窓１３ａが設けられ、前記他方の壁１４には、前記地窓１３ａよりも上方に位置する窓１４ａ，１４ｂが設けられており、
前記システムキッチン１は、前記一方の壁１３に対して、前記開放空間４の正面側および背面側における開口範囲内に前記地窓１３ａが位置するようにして固定されていることを特徴とする。
【００１１】
請求項３に記載の発明によれば、一方の壁１３には地窓１３ａが設けられ、他方の壁１４には、地窓１３ａよりも上方に位置する窓１４ａ，１４ｂが設けられているので、一方の壁１３の地窓１３ａと、他方の壁１４の窓１４ａ，１４ｂとの間で空気を流通させることができる。これによって、部屋１１内の空気を撹拌しやすくなるので、部屋１１内の温熱環境における快適性を向上させることができる。
【００１２】
請求項４に記載の発明は、例えば図４に示すように、請求項３に記載の建物１０において、
前記一方の壁１３は北側に配置される外壁であり、前記他方の壁１４は南側に配置される外壁であることを特徴とする。
【００１３】
請求項４に記載の発明によれば、一方の壁１３は北側に配置される外壁であり、他方の壁１４は南側に配置される外壁であることから、例えば夏期のように温暖な時期において、一方の壁１３側と他方の壁１４側とで部屋１１内の温度差が生じやすくなる。すなわち、低い位置にある地窓１３ａから比較的冷たい外気を部屋１１内に取り込み、地窓１３ａよりも高い位置にある窓１４ａ，１４ｂから比較的暖かい空気を屋外に排出することができるので、部屋１１内に通風効果を生じさせることができ、部屋１１内の温熱環境における快適性をより向上させることができる。
【００１４】
請求項５に記載の発明は、例えば図３に示すように、請求項３または４に記載の建物１０において、
前記床１２には床暖房設備１２ａが設けられており、
前記システムキッチン１の前記複数の脚部３は、その下部における正面側が、背面側から正面側にかけての寸法が上方に向かって徐々に長くなるように傾斜して形成され、
当該複数の脚部３の底面における背面側から正面側にかけての寸法が、前記床１２の端部から、当該床１２の端部近傍に位置する前記床暖房設備１２ａの端部までの間隔に対応していることを特徴とする。
【００１５】
請求項５に記載の発明によれば、下部における正面側が傾斜して形成された複数の脚部３の底面における背面側から正面側にかけての寸法が、床１２の端部から、当該床１２の端部近傍に位置する床暖房設備１２ａの端部までの間隔に対応しているので、複数の脚部３によって床暖房設備１２ａの暖房効果を妨げることなく、本体部２を確実に支持することができる。
また、複数の脚部３の下部における正面側を傾斜して形成した分、通気性も向上させることができる。
【００１６】
請求項６に記載の発明は、例えば図１〜図３に示すように、請求項３〜５のいずれか一項に記載の建物１０において、
前記地窓１３ａは、前記一方の壁１３に対して複数並んで設けられており、
前記システムキッチン１は、前記複数の地窓１３ａの間に配置され、かつ前記開放空間４を左右に仕切る仕切り部５を備えており、
前記仕切り部５は上下方向に開口するようにして中空筒状に形成され、当該仕切り部５の中空部５ａ内に、前記本体部２に設けられた設備の各種管部材（例えば排水管２ｅ）が配置されていることを特徴とする。
【００１７】
請求項６に記載の発明によれば、仕切り部５は、複数の地窓１３ａの間に配置され、かつ開放空間４を左右に仕切ることができるので、複数の地窓１３ａを、左右に仕切られた開放空間４の開口範囲内で確実に開閉することができるとともに、通気の必要な時には最大限開放させて外気を取り込むことができる。また、このように通気性の向上に寄与しつつ、中空筒状に形成された仕切り部５の中空部５ａ内に、本体部２に設けられた設備の各種管部材を配置できるので、当該仕切り部５によって各種管部材をカバーすることができ、見映えが良い。
【００１８】
請求項７に記載の発明は、例えば図３に示すように、請求項３〜６のいずれか一項に記載の建物１０において、前記システムキッチン１の上方には換気扇（換気扇ユニット６）が設けられていることを特徴とする。
【００１９】
請求項７に記載の発明によれば、システムキッチン１の上方には換気扇が設けられているので、換気扇を作動させれば、地窓１３ａから取り込んだ外気を上方に向かって流通させることができる。これによって、特に夏期のように温暖な時期において、システムキッチン１を使用する際の部屋１１における温熱環境を向上させることができる。
【００２０】
請求項８に記載の発明は、例えば図４〜図６に示すように、請求項３〜７のいずれか一項に記載の建物１０において、
前記部屋１１内または前記部屋１１に隣接する領域に吹抜空間（例えば階段室２０）が設けられ、当該吹抜空間には排気手段（例えば天窓２１）が設けられていることを特徴とする。
【００２１】
請求項８に記載の発明によれば、部屋１１内または部屋１１に隣接する領域に吹抜空間が設けられ、当該吹抜空間には排気手段が設けられているので、いわゆる煙突効果によって、低い位置にある地窓１３ａから比較的冷たい外気を部屋１１内に取り込み、部屋１１内延いては建物１０全体の暖かい空気を吹抜空間に通し、排気手段を通じて屋外へと排出することができる。これによって、通風効果を生じさせることができ、部屋１１内延いては建物１０内の温熱環境における快適性をより向上させることができる。
【発明の効果】
【００２２】
本発明によれば、本体部と床との間の開放空間を利用して、従来に比して格段に通気性を向上させることができる。
【図面の簡単な説明】
【００２３】
【図１】システムキッチンと、床および地窓が設けられた壁を示す斜視図である。
【図２】システムキッチンと地窓との位置関係を表す正面図である。
【図３】システムキッチンの側断面図である。
【図４】システムキッチンが設置された部屋を有する建物の一階を示す平面図である。
【図５】同、二階を示す平面図である。
【図６】同、小屋裏およびバルコニーを示す平面図である。
【図７】同、正面図である。
【図８】同、背面図である。
【図９】同、左側面図である。
【図１０】同、右側面図である。
【発明を実施するための形態】
【００２４】
以下、図面を参照して本発明の実施の形態について説明する。
図１において符号１は、システムキッチンを示す。このシステムキッチン１は、床１２に設置されるとともに、地窓１３ａが設けられた壁１３に固定されるものである。すなわち、壁付けキッチンである。
また、このシステムキッチン１は、本体部２と、複数の脚部３と、開放空間４と、仕切り部５と、を備える。
【００２５】
本体部２は、図１〜図４に示すように、コンロ２ａやシンク２ｂ等の設備が設けられるものである。より詳細に説明すると、当該本体部２は箱状に形成されており、上端部には作業台として使用できる天板２ｃが設けられ、この天板２ｃに、コンロ２ａおよびシンク２ｂが設けられている。さらに、箱状内部は収納スペースとなっており、引き出し式の収納部２ｄが複数設けられている。
また、収納スペースには、例えば排水管２ｅや水道管（図示せず）、ガス管（図示せず）等の各種管部材が配管されている。さらに、コンロ２ａに代えてクッキングヒーターを用いる場合は、収納スペース内に必要な電源線等が配線されている。
【００２６】
複数の脚部３，３は、本体部２の少なくとも両端部に設けられて当該本体部２を床１２から所定の高さに支持するものである。
より詳細に説明すると、当該複数の脚部３，３は、本体部２の両側面に設けられるとともに、下部が本体部２の下面よりも下方に突出する板状体である。また、その上端面には、天板２ｃの下面が載った状態となっている。
さらに、当該複数の脚部３，３は、その下部における正面側が、背面側から正面側にかけての寸法が上方に向かって徐々に長くなるように傾斜して形成されてなる傾斜部３ａを有する。すなわち、脚部３は、当該傾斜部３ａを有することによって、図１，図３に示すように、上部が下部に対してオーバーハングする台形状に形成されている。
なお、傾斜部３ａの上端部と本体部２の下面の高さ位置が略等しく設定されている。
また、本実施の形態においては二つの脚部３，３が用いられているが、本体部２の幅方向の長さに応じて三つ以上の脚部３が用いられてもよい。
【００２７】
そして、本体部２の下方は、図１〜図３に示すように、正面側から背面側にかけて開放された開放空間４とされている。当該開放空間４は、床１２と、本体部２の下面と、左右の脚部３，３の内側面とで囲まれた箇所の空間を指しており、正面側および背面側が開口している。
開放空間４の正面側開口は、左右の脚部３，３が傾斜部３ａ，３ａを有するため、その開口面積が、背面側開口よりも大きく設定されているが、床１２および本体部２の下面が水平であるため、正面視においては高さが揃った状態となっている（図２参照）。
【００２８】
このような開放空間４の正面側および背面側における開口範囲内に、壁１３に設けられた地窓１３ａが位置している。
すなわち、本体部２の下面は、当該本体部２が複数の脚部３，３に支持されることによって、地窓１３ａの上端部と略等しい高さもしくは地窓１３ａの上端部よりも上方に位置している（本実施の形態では後者）。また、複数の脚部３，３は、地窓１３ａの左右の端部と略等しい位置もしくは地窓１３ａの左右の端部よりも外側に位置している。
なお、本実施の形態における地窓１３ａは、図１，図２に示すように、壁１３に対して複数並んで設けられている。これに伴い、本実施の形態において、図２において左側に位置する脚部３は、左側の地窓１３ａの左側端部よりも外側に配置され、右側に位置する脚部３は、右側の地窓１３ａの右側端部よりも外側に配置されている。
【００２９】
仕切り部５は、図１，図２に示すように、複数の地窓１３ａ，１３ａの間に配置され、かつ開放空間４を左右に仕切っている。さらに、図３に示すように、当該仕切り部５は上下方向に開口するようにして中空筒状に形成され、その中空部５ａ内に、本体部２に設けられた設備（コンロ２ａ、シンク２ｂ）の各種管部材（排水管２ｅ）等が配置されている。すなわち、この仕切り部５は、各種管部材等のための配管カバーとして機能する。
なお、本実施の形態の仕切り部５の位置は、システムキッチン１（本体部２）の幅方向中央部になっているが、これに限られるものではなく、左右に位置調整が可能である。すなわち、本実施の形態では複数の地窓１３ａ，１３ａ同士が等しい大きさに設定され、開放空間４の左右にバランス良く配置されているのに対応して、仕切り部５も中央に配置されているが、地窓１３ａが一つである場合や、三つ以上である場合、地窓１３ａが開放空間４の左右いずれかに寄せて配置されている場合等には、仕切り部５も、システムキッチン１（本体部２）の幅方向中央部ではなく、中央部からずらして配置されていてもよい。つまり、仕切り部５が左右の脚部３，３のいずれか側に寄っていたり、左右の脚部３，３のいずれかに当接していたりしてもよいものとする。
【００３０】
次に、以上のような構成のシステムキッチン１が設置された部屋１１を有する建物１０について説明する。
本実施の形態の建物１０は、図４〜図１０に示すように、二階建ての住宅であり、当該建物１０の一階に、システムキッチン１が設置された部屋１１が配置されている。また、建物１０の一階と二階は階段室２０によって接続され、二階と小屋裏空間とが天井収納梯子３０によって接続されている。
【００３１】
部屋１１は、リビングルームとダイニングルームとキッチンルームの機能を一室に併存させた居室であり、一階の大部分を専有している。
なお、部屋１１の周囲には、当該部屋１１を囲む壁（壁１３，１４を含む周囲の壁）および出入口を介して、玄関１５や、トイレ・洗面脱衣所・浴室等を有するサニタリールーム１６、収納室１７、部屋１８が配置されている。
【００３２】
部屋１１は、図１〜図４，図８，図１０に示すように、システムキッチン１が設置される床１２と、当該システムキッチン１が固定される一方の壁１３と、当該壁１３と直交する他方の壁１４と、を備える。
床１２は、例えばフローリング等の床仕上げが施されたものであり、床下に床暖房設備１２ａが設けられている。なお、この床暖房設備１２ａは、熱源および熱媒体等は特に限定されるものではなく、既存の床暖房設備が用いられている。
また、この床暖房設備１２ａの端部は、床１２の端部から離間した位置にある。そして、複数の脚部３，３の底面における背面側から正面側にかけての寸法は、床１２の端部から、当該床１２の端部近傍に位置する床暖房設備１２ａの端部までの間隔に対応しているものとする。換言すれば、脚部３の傾斜部３ａを形成する際は、床暖房設備１２ａと重ならないように設定されている。
【００３３】
一方の壁１３は北側に配置される外壁であり、この壁１３に、上述のように地窓１３ａが複数設けられている。
地窓１３ａは、壁１３に形成された開口部に地窓用のサッシが取り付けられてなり、例えば上端部を室内側に回転させるようにして開口部を開放させることができる。
そして、システムキッチン１は、一方の壁１３に対して、開放空間４の正面側および背面側における開口範囲内に地窓１３ａが位置するようにして固定されている。
【００３４】
他方の壁１４は南側に配置される外壁であり、この壁１４に、地窓１３ａよりも上方に位置する窓１４ａ，１４ｂが設けられている。
窓１４ａ，１４ｂは、図８に示すように、人の出入りができる掃き出し窓である。そして、当該窓１４ａ，１４ｂは、その下端部の高さ位置は地窓１３ａの下端部の高さ位置と略等しく、その上端部の高さ位置は地窓１３ａの上端部の高さ位置よりも上方に位置している。
【００３５】
また、システムキッチン１の上方には、図３に示すように、当該システムキッチン１の一部として換気扇ユニット６が設けられている。すなわち、コンロ２ａとセットで設けられるものである。
当該換気扇ユニット６は、コンロ２ａの上方に位置するとともに一方の壁１３に固定されるレンジフード６ａと、当該レンジフード６ａに内包される換気扇装置（図示せず）と、を有する。
これによって、換気扇装置を作動させれば、地窓１３ａから取り込んだ外気を上方に向かって流通させることができる。
【００３６】
また、部屋１１内または部屋１１に隣接する領域に吹抜空間が設けられ、当該吹抜空間には排気手段が設けられている。
より具体的に説明すると、本実施の形態における吹抜空間は、部屋１１に隣接する領域に設けられた階段室２０である。当該階段室２０は、図４〜図７に示すように、一階から屋根１０ａまで吹き抜けており、その上端部には、排気手段として屋根１０ａに形成された天窓２１が設けられている。さらに、天窓２１の近傍には、正逆回転可能に構成されたシーリングファン２２（排気手段として）が設けられている。このような構造を採用すれば、いわゆる煙突効果によって、低い位置にある地窓１３ａから比較的冷たい外気を部屋１１内に取り込み、部屋１１内延いては建物１０全体の暖かい空気を吹抜空間である階段室２０に通し、排気手段である天窓２１を通じて屋外へと排出することができる。また、暖かい空気の排出効果を高めたい場合はシーリングファン２２を回転させる。
図示はしないが、階段室２０に代えて、部屋１１の上方に吹抜空間があってもよいものとする。
なお、本実施の形態の階段室２０は、部屋１１に対して戸２０ａによって仕切られている。つまり、部屋１１と階段室２０との境界には、これら部屋１１と階段室２０とを行き来するための出入口を開閉可能な戸（引戸２０ａ）が設けられている。
また、図４，図７に示すように、階段室２０にも地窓２０ｂが設けられていてもよい。すなわち、当該地窓２０ｂから外気を取り込んで、階段室２０における煙突効果を高める作用があるので好ましい。
さらに、図７に示すように、階段室２０の高い位置（屋根１０ａの軒先の高さ）に高窓２０ｃが設けられていてもよく、当該高窓２０ｃも階段室２０における煙突効果の向上に貢献できる。
【００３７】
以上のような構成の建物１０によれば、地窓１３ａと、窓１４ａ，１４ｂと、換気扇ユニット６と、階段室２０と、天窓２１と、シーリングファン２２と、を適宜組み合わせることによって、部屋１１延いては建物１０全体の通気性（通風性）を向上させることが可能となっている。
なお、雨天時や強風時には、天窓２１を開放させることができないため、図６に示すように、階段室２０の壁（外壁）にダクト扇２３（排気手段として）が設けられており、天候に合わせて天窓２１とダクト扇２３のいずれかを適宜用いることができる。
【００３８】
以下、建物１０のその他の構成について説明する。
すなわち、階段室２０の階段を一階から二階に上がった先には廊下２４が配置されており、廊下２４の周囲には、複数の部屋２５，２６，２７が配置されている。
部屋２５には納戸２５ａが付属している。
部屋２７にはクローゼット２７ａが付属している。そして、このクローゼット２７ａの天井裏に天井収納梯子３０が収納されている。当該天井収納梯子３０は、クローゼット２７ａから引き出して使用することができる。
【００３９】
天井収納梯子３０を上がった先には小屋裏空間があり、小屋裏空間のうち部屋２７の上方に位置する箇所に小屋裏収納部３１が配置されている。
また、小屋裏収納部３１に面して、かつ部屋２７の上方に位置する箇所には、人の立ち入りを主目的としないルーフバルコニー３２が配置されている。ただし、小屋裏収納部３１のルーフバルコニー側外壁には窓３３があり、人の出入りは可能となっている。そして、当該ルーフバルコニー側外壁の外側面には、気象観測装置（図示せず）が取り付けられている。また、気象観測装置のための取付下地合板３４が、当該ルーフバルコニー側外壁に埋め込まれているものとする。
【００４０】
建物１０の屋根１０ａは切妻屋根（招き屋根に近い）であり、片方の屋根には凹部１０ｂが形成されている。すなわち、当該凹部１０ｂは、図７，図９に示すように、ルーフバルコニー３２の上方に位置する箇所である。したがって、当該凹部１０ｂのある片方の屋根は、平面視において略Ｌ字状となるように形成されることになる。
【００４１】
本実施の形態によれば、複数の脚部３，３によって床１２から所定の高さに支持される本体部２の下方は、正面側から背面側にかけて開放された開放空間４とされ、当該開放空間４の正面側および背面側における開口範囲内に地窓１３ａが位置するので、地窓１３ａを、開放空間４の開口範囲内で確実に開閉することができるとともに、通気の必要な時には最大限開放させて外気を取り込むことができる。これによって、本体部２と床１２との間の開放空間４を利用して、従来に比して格段に通気性を向上させることができる。
【００４２】
また、複数の脚部３，３は、本体部２の両側面に設けられるとともに、下部が本体部２の下面よりも下方に突出する板状体であるため、当該複数の脚部３，３によって本体部２の両側面を化粧しつつ、本体部２を確実に支持することができる。
【００４３】
また、一方の壁１３には地窓１３ａが設けられ、他方の壁１４には、地窓１３ａよりも上方に位置する窓１４ａ，１４ｂが設けられているので、一方の壁１３の地窓１３ａと、他方の壁１４の窓１４ａ，１４ｂとの間で空気を流通させることができる。これによって、部屋１１内の空気を撹拌しやすくなるので、部屋１１内の温熱環境における快適性を向上させることができる。
【００４４】
また、一方の壁１３は北側に配置される外壁であり、他方の壁１４は南側に配置される外壁であることから、例えば夏期のように温暖な時期において、一方の壁１３側と他方の壁１４側とで部屋１１内の温度差が生じやすくなる。すなわち、低い位置にある地窓１３ａから比較的冷たい外気を部屋１１内に取り込み、地窓１３ａよりも高い位置にある窓１４ａ，１４ｂから比較的暖かい空気を屋外に排出することができるので、部屋１１内に通風効果を生じさせることができ、部屋１１内の温熱環境における快適性をより向上させることができる。
【００４５】
また、下部における正面側が傾斜して形成された複数の脚部３，３の底面における背面側から正面側にかけての寸法が、床１２の端部から、当該床１２の端部近傍に位置する床暖房設備１２ａの端部までの間隔に対応しているので、複数の脚部３，３によって床暖房設備１２ａの暖房効果を妨げることなく、本体部２を確実に支持することができる。
また、複数の脚部３，３の下部における正面側を傾斜して形成した分、通気性も向上させることができる。
【００４６】
また、仕切り部５は、複数の地窓１３ａ，１３ａの間に配置され、かつ開放空間４を左右に仕切ることができるので、複数の地窓１３ａ，１３ａを、左右に仕切られた開放空間４の開口範囲内で確実に開閉することができるとともに、通気の必要な時には最大限開放させて外気を取り込むことができる。また、このように通気性の向上に寄与しつつ、中空筒状に形成された仕切り部５の中空部５ａ内に、本体部２に設けられた設備の各種管部材を配置できるので、当該仕切り部５によって各種管部材をカバーすることができ、見映えが良い。
【００４７】
また、システムキッチン１の上方には換気扇ユニット６が設けられているので、換気扇ユニット６の換気扇装置を作動させれば、地窓１３ａから取り込んだ外気を上方に向かって流通させることができる。これによって、特に夏期のように温暖な時期において、システムキッチン１を使用する際の部屋１１における温熱環境を向上させることができる。
【００４８】
また、部屋１１に隣接する領域に吹抜空間として階段室２０が設けられ、当該階段室２０には排気手段として天窓２１・シーリングファン２２・ダクト扇２３が設けられているので、いわゆる煙突効果によって、低い位置にある地窓１３ａから比較的冷たい外気を部屋１１内に取り込み、部屋１１内延いては建物１０全体の暖かい空気を吹抜空間に通し、排気手段を通じて屋外へと排出することができる。これによって、通風効果を生じさせることができ、部屋１１内延いては建物１０内の温熱環境における快適性をより向上させることができる。
【００４９】
なお、以上のような建物１０は、新築の建物であってもよいし、既設の建物であってもよい。新築の建物の場合は、システムキッチン１と地窓１３ａとの位置関係やサイズ等を適宜設計すればよく、既設の建物の場合は、既にある地窓１３ａに対応するようにシステムキッチン１を設ければよい。すなわち、本発明は、建物１０の新築時にもリフォーム時にも対応できるので汎用性が高い。
【符号の説明】
【００５０】
１  システムキッチン
２  本体部
３  脚部
４  開放空間
５  仕切り部
６  換気扇ユニット
１０  建物
１１  部屋
１２  床
１３  壁
１３ａ  地窓
１４  壁
１４ａ  窓
１４ｂ  窓
２０  階段室
【図１】
2015188600.tif 000003
【図２】
2015188600.tif 000004
【図３】
2015188600.tif 000005
【図４】
2015188600.tif 000006
【図５】
2015188600.tif 000007
【図６】
2015188600.tif 000008
【図７】
2015188600.tif 000009
【図８】
2015188600.tif 000010
【図９】
2015188600.tif 000011
【図１０】
2015188600.tif 000012